(57)【特許請求の範囲】
【請求項１】
原稿を照射するランプと、
該ランプに電流を供給するランプ安定化電源と、
前記ランプを点灯させるためのランプトリガ信号を前記ランプ安定化電源へ出力する制御手段と、
を備えた画像形成装置であって、
前記ランプの断線を示す断線検知信号を検出する断線検知手段を備え、
前記断線検知信号は、前記ランプトリガ信号の極性反転から、前記ランプへの突入電流防止のために決定される時定数に基づく所定遅延時間の遅延後に出力されることを特徴とする画像形成装置。
【請求項２】
前記ランプ安定化電源は、
供給されるＡＣ電源を監視し、該監視結果をＡＣ入力検知信号として出力するＡＣ検知回路を有し、
前記制御手段が、
前記ランプ安定化電源へのＡＣ電源の供給をＯＮにするためのパワーリレー信号を出力し、該パワーリレー信号の出力から一定時間が経過した後に前記ＡＣ入力検知信号をチェックすることを特徴とする請求項１記載の画像形成装置。
【請求項３】
前記制御手段が、
前記ランプ安定化電源へのＡＣ電源の供給をＯＦＦにするためのパワーリレー信号を出力し、該パワーリレー信号の出力から一定時間が経過した後に前記ＡＣ入力検知信号をチェックすることを特徴とする請求項１または２記載の画像形成装置。
【発明の詳細な説明】
【０００１】
【発明の属する技術分野】
本発明は、原稿を照射するランプと、制御手段から入力されるトリガ信号によって前記ランプに電流を供給するランプ安定化電源とを有するスキャナ部を備えた画像形成装置に関し、特に、ランプ安定化電源から出力されるランプ断線検知信号からランプの状態を判定する手段を有する画像形成装置に関する。
【０００２】
【従来の技術】
画像形成装置のスキャナ部のランプの断線検知方法における従来技術として、光量センサを設けてランプ光量から断線検知したり、ランプを点灯させる電源を供給するランプ用安定化電源に断線検知回路を設け、このランプ用安定化電源におけるランプへ供給する電源の有無により断線検知するものが特開平８−１０１２４３号公報に開示されている。
【０００３】
前者の従来技術には次のような問題点があった。第１の問題点は、断線検知のための光量センサという専用のセンサを必要とすると共に、光量を評価するための断線検知回路を必要とするので、コストが大となり且つ回路規模が大となるという点である。
【０００４】
第２の問題点は、光量センサにほこりや汚れが付着した場合や、振動により光量センサの位置がずれてしまった場合には、ランプの光量を正確に検出することが出来ず、誤って断線検知信号が出されることがあるという点である。
【０００５】
後者の従来技術には次のような問題点があった。例えば、ランプ用安定化電源においてランプに供給するためにＤＣ電源化されるＡＣ電源を入力するＡＣ電源回路のスイッチイング素子がＯＦＦとなっている等により、ランプ用安定化電源にＡＣ入力されない場合においてもランプ用安定化電源に設けられた断線検知回路は断線を検知してしまい、ＡＣ入力異常をランプの断線とする誤検知を生じてしまう。
【０００６】
そこで、上記の問題点を解決するためランプ用安定化電源からＡＣ入力検知信号と断線検知信号とをそれぞれ出力させることにより断線とＡＣ入力異常とを各々検知する方法が提案されている。
【０００７】
この断線とＡＣ入力異常とをそれぞれ検知する方法において断線を検知する際には、ランプ用安定化電源の断線検知回路から入力される断線検知信号を制御部がチェックすることにより断線の検出を行っている。ここで断線検出回路はランプ電流を検知しているが、このときランプ電流はランプの巻線にストレスを与えないために突入を避けてゆっくり立ち上げる必要があり、これを考慮して断線検知信号は時定数をもった遅延が行われて制御部へ出力されている。このため制御部がランプＯＮ信号を発信した後に即断線検知信号をチェックするものであっては、断線検出回路が断線を検知していないときの断線検知信号をチェックしてしまい誤検知が生じてしまうといった問題点があった。
【０００８】
同様に、ＡＣ入力異常を検出する際には、ランプ用安定化電源のＡＣ検知回路から入力されるＡＣ入力検知信号を制御部がチェックすることによりＡＣ入力異常の検出を行っている。ここでＡＣ検知回路はＡＣ電源による充電回路の電圧を検知しているため、これを考慮してＡＣ入力検知信号はＡＣ電源ＯＮから時定数をもった遅延が行われて制御部へ出力されている。このため制御部がＡＣ電源ＯＮさせるための信号を発信した後に即ＡＣ入力検知信号をチェックするものであっては、ＡＣ検知回路がＡＣ入力異常を検知していないときのＡＣ入力検知信号をチェックしてしまい誤検知が生じてしまうといった問題点があった。
【０００９】
その対策として、ランプ用安定化電源から出力される断線検知信号による判定を、ランプＯＮ信号から一定時間後に行うことにより、このような誤検知を防止することも提案されている。
【００１０】
【発明が解決しようとする課題】
ここで本発明は、ランプＯＦＦ信号の出力後に断線検知回路からの断線検知信号をチェックすることによりランプが消灯しない異常状態（ランプ異常点灯）を検出することが可能な点に着目する。
【００１１】
この場合も同様に、ランプＯＮ時のランプ電流の立ち上がり時よりは短いが立ち下がりに時定数を有するので、制御部がランプＯＦＦ信号を発信した後に即検知信号をチェックするものであっては、断線検知回路が断線を検知していないときの断線検知信号をチェックしてしまい誤検知が生じてしまうといった問題点があった。
【００１２】
本発明は、上記の問題点に鑑みてなされたものであり、ランプのＯＮ／ＯＦＦ、ランプ用安定化電源に供給するＡＣ電源のＯＮ／ＯＦＦのための信号がランプ用安定化電源に出力されて一定の時間が経過した後に、断線検知信号、ＡＣ入力検知信号をそれぞれチェックすることにより、上述したランプ異常点灯を含むランプの状態及びＡＣ電源の状態に対する誤検知を防止することができる画像形成装置を提供することを目的とする。
【００１３】
【課題を解決するための手段】
かかる目的を達成するために、本発明における請求項１記載の発明は、原稿を照射するランプと、該ランプに電流を供給するランプ安定化電源と、前記ランプを点灯させるためのランプトリガ信号を前記ランプ安定化電源へ出力する制御手段とを備えた画像形成装置であって、前記ランプの断線を示す断線検知信号を検出する断線検知手段を備え、前記断線検知信号は、前記ランプトリガ信号の極性反転から、前記ランプへの突入電流防止のために決定される時定数に基づく所定遅延時間の遅延後に出力されることを特徴とする。
【００１４】
請求項２記載の発明は、請求項１記載の発明において、ランプ安定化電源は、供給されるＡＣ電源を監視し、該監視結果をＡＣ入力検知信号として出力するＡＣ検知回路を有し、制御手段が、ランプ安定化電源へのＡＣ電源の供給をＯＮにするためのパワーリレー信号を出力し、該パワーリレー信号の出力から一定時間が経過した後にＡＣ入力検知信号をチェックすることを特徴とする。
【００１５】
請求項３記載の発明は、請求項１又は２記載の発明において、制御手段が、ランプ安定化電源へのＡＣ電源の供給をＯＦＦにするためのパワーリレー信号を出力し、該パワーリレー信号の出力から一定時間が経過した後に前記ＡＣ入力検知信号をチェックすることを特徴とする。
【００２３】
【発明の実施の形態】
以下、本発明による画像形成装置の実施の形態を添付図面を参照しながら詳細に説明する。
【００２４】
図１は本発明による画像形成装置の一構成例を示すブロック図である。図１によれば、本発明による画像形成装置はスキャナ部１とプリンタ部２とで構成される。
【００２５】
スキャナ部１の原稿照明用のランプ１２に電流を供給するランプ用安定化電源１１はＡＣ電源を安定なＤＣ電源化する。プリンタ部２は画像形成装置全体に必要な電源を供給する直流電源２１、画像形成装置全体を制御する制御部２２、及び入力部と表示部とで構成される操作部２３で構成される。
【００２６】
プリンタ部２の直流電源２１からはランプ用安定化電源１１にランプ電源用のＡＣ電源と制御用のＤＣ電源が供給され、このＡＣ電源は制御部２２からのリレーＯＮ／ＯＦＦ信号による直流電源２１内のパワーリレーでＯＮ／ＯＦＦされる。また、制御部２２からはランプ用安定化電源１１へランプＯＮトリガ信号が出力され、このランプＯＮトリガ信号の入力によってランプ１２は点灯する。ランプ用安定化電源１１からは制御部２２へＡＣ入力とランプ断線との各検知信号が出力される。
【００２７】
図２にランプ用安定化電源１１の構成例を詳細に示す。直流電源２１から入力されるＡＣ電源は、整流回路１１２・平滑コンデンサ１１４で整流・平滑後、制御回路１１１に入力される。制御部２２から入力されるランプＯＮトリガ信号が「Ｌ」になると、ＡＣ電源は制御回路１１１によってチョッパ制御され安定なＤＣ電源化されてランプ１２に供給される。
【００２８】
ＡＣ検知回路１１３は入力ＡＣ電源に接続されており、ＡＣ電流の有無により制御部２２へのＡＣ検知信号の状態が変わる。具体的にはＡＣ検知回路１１３は整流後のＡＣ電源に接続された図示しない充電回路の電圧が一定値以上のときにＡＣ入力検知信号を出力する回路であり、このときＡＣ入力検知信号は制御部２２によるパワーリレーＯＮ信号の出力からある時定数で遅延されて制御部２２に出力される。
【００２９】
また、断線検知回路１１５はランプ１２への出力ＤＣ電源に接続され、ランプ１２へのＤＣ電流の有無により制御部２２へのＡＣ入力検知信号の状態が変わる。ここでランプ用安定化電源１１はランプ１２への突入電流防止のためランプ電流をゆっくり立ち上げる回路構成を採用しており、断線検知信号はランプＯＮトリガ信号からある時定数で遅延されて出力される。また、ランプ電流の立ち下げ時もある時定数をもって立ち下がるので、断線検知信号はランプＯＮトリガ信号ＯＦＦからある時定数で遅延されて出力される。
【００３０】
図３は通常スキャン時における断線検知信号の状態を示したものである。ランプＯＮトリガ信号が「Ｈ」から「Ｌ」に変わるとランプ電流が流れはじめて、一定時間後（例えば２００ｍｓｅｃ後) 、断線検知信号が「Ｈ」から「Ｌ」に変わる。ランプＯＮトリガ信号が再び「Ｈ」になるとランプ電流が止まり、一定時間後( 例えば１０ｓｅｃ後) 、断線検知信号が「Ｈ」に変わる。
【００３１】
図４はランプ１２の断線時における断線検知信号の状態を示したものである。ランプ断線時にはランプ電流が止まることにより、断線検知信号は「Ｌ」から「Ｈ」に変わる。すなわち、ランプＯＮタイミング中（ランプＯＮトリガ信号が「Ｌ」）に断線検知信号が「Ｈ」になれば、制御部２２はランプ断線と判定することができる。
【００３２】
図５はランプ１２の異常点灯時における断線検知信号の状態を示したものである。この場合はランプ１２を消灯させるようにランプＯＮトリガ信号を「Ｌ」から「Ｈ」に変えてもランプ電流が流れ続けるため断線検知信号は「Ｌ」のままである。すなわち、制御部２２によるランプＯＮトリガ信号が「Ｌ」から「Ｈ」に変わったことにもかかわらず、断線検知信号が「Ｌ」のままであることから制御部２２はランプ１２の異常点灯を判定することができる。
【００３３】
図６はパワーリレーＯＮ時におけるＡＣ入力検知信号の状態を示したものである。パワーリレーＯＮ信号が「Ｈ」から「Ｌ」に変わると、直流電源２１内のパワーリレーがＯＮし、一定時間後（例えば５０ｍｓｅｃ後）、ランプ電源内のＡＣ入力整流後電圧が立ち上がり（あるいは立ち下がり）ＡＣ入力検知信号が「Ｈ」から「Ｌ」に変わる。パワーリレーＯＮ信号が再び「Ｈ」になると、 パワーリレーがＯＦＦして一定時間後（例えば２０ｍｓｅｃ後) 、ランプ電源内のＡＣ入力清流後電圧が立ち下がり（あるいは立ち上がり）ＡＣ入力検知信号が「Ｈ」に変わる。
【００３４】
図７は本発明のランプ用安定化電源のＡＣ入力チェックをあらわすフローチャートである。制御部２２からのパワーリレーＯＮ信号により直流電源２１内のパワーリレーがＯＮし（ステップＳ１１）、ＡＣ電源がランプ用安定化電源１１に入力される。この制御部２２がパワーリレーＯＮ信号を直流電源２１へ出力するタイミングは本体電源ＯＮ時による制御部２２の立ち上がり直後であったり、サービスマンコールなどの異常の解除時であったりする。
【００３５】
次に、制御部２２はパワーリレーがＯＮしてから５０ｍｓｅｃ経過したか否かを判断する（ステップＳ１２）。５０ｍｓｅｃ経過していないと判断すると（ステップＳ１２／ＮＯ）、５０ｍｓｅｃ経過するのを待ち、５０ｍｓｅｃ経過したと判断すると（ステップＳ１２／ＹＥＳ）、制御部２２はランプ用安定化電源からのＡＣ入力検知信号をチェックし、ＡＣ入力検知信号が「Ｈ」であるか否かを判断する（ステップＳ１３）。
【００３６】
ステップＳ１３の判断において、ＡＣ入力検知信号が「Ｌ」ならば（ステップＳ１３／ＮＯ）、制御部２２はＡＣ電源の入力が正常であると判定し（ステップＳ１４）、チェック終了となる。ＡＣ入力検知信号が「Ｈ」ならば（ステップＳ１３／ＹＥＳ）、制御部２２はプリンタ部２の直流電源２１のパワーリレー故障などによるＡＣ電源入力異常と判定して（ステップＳ１５）、対応したサービスマンコール表示を操作部２３に表示させる（ステップＳ１６）。
【００３７】
図８は入力ＡＣ電源がＯＮ／ＯＦＦした時における通常のＡＣ入力検知信号と断線検知信号との状態を示したものである。ＡＣ電源がＯＦＦの時は両検知信号とも「Ｈ」であり、ＡＣ電源がＯＮの時は両検知信号とも「Ｌ」になる。ＡＣ電源がＯＦＦの時はランプ電流も流れないので、トリガ信号にかかわらず断線検知信号も「Ｈ」になる。
【００３８】
図９は本発明のスキャン動作をあらわすフローチャートである。操作部２３からの入力によりコピー動作が開始するとスキャナ部１はスキャン開始する。制御部２２からのパワーリレーＯＮ信号により直流電源２１内のパワーリレーがＯＮし（ステップＳ２１）、制御部２２はこの時点から例えば２００ｍｓｅｃ経過したか否かを判断する（ステップＳ２２）。この判断において２００ｍｓｅｃ経過していないと判断すると（ステップＳ２２／ＮＯ）、２００ｍｓｅｃ経過するのを待つ。２００ｍｓｅｃ経過したと判断すると（ステップＳ２２／ＹＥＳ）、制御部２２はランプ用安定化電源１１からの断線検知信号をチェックし、「Ｈ」であるか否かを判断する（ステップＳ２３）。
【００３９】
ステップＳ２３の判断において、制御部２２がチェックした断線検知信号が「Ｈ」ではなく、「Ｌ」であると判断すると（ステップＳ２３／ＮＯ）、次にスキャナ部１におけるデータの読み取りが終了したか否かを判断する（ステップＳ２４）。この判断において断線検知信号が「Ｌ」のままスキャナ部において読み取り終了となれば（ステップＳ２４／ＹＥＳ）、ランプ１２をＯＦＦにしてスキャン終了となる（ステップＳ２５）。データの読み取りが終了していないと判断すると（ステップＳ２４／ＮＯ）、読み取りが終了するまで待つ。
【００４０】
次に、制御部２２はスキャナ部１における読み取り処理が終了した時点から例えば１０ｍｓｅｃ経過したか否かを判断する（ステップＳ２６）。この判断において１０ｍｓｅｃ経過していないと判断すると（ステップＳ２６／ＮＯ）、１０ｍｓｅｃ経過するのを待つ。１０ｍｓｅｃ経過したと判断すると（ステップＳ２６／ＹＥＳ）、制御部２２はランプ用安定化電源１１からの断線検知信号をチェックし、「Ｌ」であるか否かを判断する（ステップＳ２７）。
【００４１】
この判断において断線検知信号が「Ｌ」であると判断すると（ステップＳ２７／ＹＥＳ）、制御部２２はランプ異常点灯と判定し（ステップＳ２８）、対応したサービスマンコール表示を操作部２２に表示する（ステップＳ２９）。断線検知信号が「Ｈ」であると判断すると（ステップＳ２７／ＮＯ）、全てのスキャン動作を終了する（ステップＳ２９）。
【００４２】
また、前述したステップＳ２３の判断において、制御部２２がチェックした断線検知信号が「Ｈ」であると判断すると（ステップＳ２３／ＹＥＳ）、制御部２２はランプ用安定化電源１１からのＡＣ入力検知信号をチェックし、「Ｈ」であるか否かを判断する（ステップＳ３０）。この判断においてＡＣ入力検知信号が「Ｈ」でなく「Ｌ」であると判断すると（ステップＳ３０／ＮＯ）、制御部２２はランプ断線であると判定し（ステップＳ３１）、対応したサービスマンコール表示を操作部２２に表示させる（ステップＳ３２）。
【００４３】
ステップＳ２３の判断において、制御部２２がチェックした断線検知信号が「Ｈ」であると判断すると（ステップＳ２３／ＮＯ）、制御部２２は直流電源２１によるＡＣ入力の異常と判定し（ステップＳ３３）、対応したサービスマンコール表示を操作部２２に表示させる（ステップＳ３４）。
【００４４】
【発明の効果】
以上の説明より明らかなように、本発明によれば、ランプのＯＮ／ＯＦＦ、ランプ用安定化電源に供給されるＡＣ電源のＯＮ／ＯＦＦのための信号が出力されて一定の時間が経過した後に断線検知信号、ＡＣ入力検知信号をチェックしており、ランプ異常点灯を含むランプの状態及びＡＣ電源の状態を正確に判定することができる。
【図面の簡単な説明】
【図１】本発明の実施の形態における画像形成装置の一構成例を示すブロック図である。
【図２】本発明の実施の形態におけるランプ用安定化電源の一構成例を示すブロック図である。
【図３】本発明の実施の形態における通常スキャン時の断線検知信号の状態を示す図である。
【図４】本発明の実施の形態におけるランプの断線時の断線検知信号の状態を示す図である。
【図５】本発明の実施の形態におけるランプの異常点灯時の断線検知信号の状態を示す図である。
【図６】本発明の実施の形態におけるパワーリレーＯＮ時のＡＣ入力検知信号の状態を示す図である。
【図７】本発明の実施の形態におけるランプ用安定化電源のＡＣ入力チェックをあらわすフローチャートである。
【図８】本発明の実施の形態における入力ＡＣ電源がＯＮ／ＯＦＦした時のＡＣ入力検知信号と断線検知信号との状態を示す図である。
【図９】本発明の実施の形態におけるスキャン動作をあらわすフローチャートである。
【符号の説明】
１  スキャナ部
２  プリンタ部
１１  ランプ用安定化電源
１２  ランプ
２１  直流電源
２２  制御部
２３  操作部
１１１  制御回路
１１２  整流回路
１１３  ＡＣ検知回路
１１４  平滑コンデンサ
１１５  断線検知回路
【図１】
0003714585.tif 000002
【図２】
0003714585.tif 000003
【図３】
0003714585.tif 000004
【図４】
0003714585.tif 000005
【図５】
0003714585.tif 000006
【図６】
0003714585.tif 000007
【図７】
0003714585.tif 000008
【図８】
0003714585.tif 000009
【図９】
0003714585.tif 000010